(57)【特許請求の範囲】
【請求項１】
開戸後、引き戸が自動的に閉じ方向に移動し、閉戸するようにし、引き戸側に、引き戸を開く力を解除した時点から引き戸に制動をかけ、その後、時間遅れをもって前記制動を解除するように作動するストッパによって開戸状態を一時的に維持するように構成した開戸維持機構を取り付けた自動閉戸装置において、前記開戸維持機構を、ストッパに連結された、引き戸の開閉操作により揺動するリンクと、該リンクに連結された、一方向クラッチ及び歯車列よりなるギヤ装置とから構成し、前記リンクの揺動により引き戸の閉方向の動作を一時停止させるようにしたことを特徴とする自動閉戸装置における一時開戸状態維持装置。
【請求項２】
開戸後、引き戸が自動的に閉じ方向に移動し、閉戸するようにし、引き戸側に、引き戸を開く力を解除した時点から引き戸に制動をかけ、その後、時間遅れをもって前記制動を解除するように作動するストッパによって開戸状態を一時的に維持するように構成した開戸維持機構を取り付けた自動閉戸装置において、前記開戸維持機構を、ストッパに連結された、引き戸の開閉操作により揺動するリンクと、該リンクに連結された、一方向クラッチ及び１コマ送り機構よりなるギヤ装置とから構成し、前記リンクの揺動により引き戸の閉方向の動作を一時停止させるようにしたことを特徴とする自動閉戸装置における一時開戸状態維持装置。
【請求項３】
引き戸の開戸方向には軽快に動作し、閉じ方向に対しては一方向クラッチと歯車列とにより減速させるように構成した減速装置を取り付けたことを特徴とする請求項１又は２記載の自動閉戸装置における一時開戸状態維持装置。
【発明の詳細な説明】
【技術分野】
【０００１】
本発明は、自動閉戸装置における一時開戸状態維持装置に関し、特に、引き戸を開いた後、付設の自動閉戸装置により自動的に閉戸する際、開戸状態を一定時間維持し、安全に人の出入りや荷物の出し入れが行えるようにした自動閉戸装置における一時開戸状態維持装置に関するものである。
【背景技術】
【０００２】
従来、引き戸を自動的に閉じる装置として、引き戸を天井部に配設した吊りレールにランナーを介して吊垂支持した吊り戸式がある。この引き戸を自動的に閉じる装置は、吊りレールを、一端側が他端側より低くなるように傾斜させて配置し、開いた引き戸をその自重と吊りレールの傾斜角とにより自動的に閉じるように構成したもの、あるいは引き戸の開口枠外側に引き戸の開閉操作に同期して上下するように索条を介してバランスウェイトを吊垂し、このバランスウェイトの重量にて自動的に閉じるように構成したもの等がある。
【発明の概要】
【発明が解決しようとする課題】
【０００３】
ところで、上記従来の引き戸を自動的に閉じる装置においては、開いた引き戸は、傾斜したレールと引き戸の自重とにより、あるいはバランスウェイトにより自動的に閉じるようにしているが、引き戸を開き終わった時点で、あるいは開戸力を解いた時点で引き戸は、その自重又はバランスウェイトの作用により、直ちに閉じるようになる。
このため、開戸後、人が安全に出入りするのに要する時間だけ開戸状態を維持し、引き戸が妄りに閉じないようにするため、引き戸を手で支えるか、あるいは両手がふさがる場合には引き戸と開口枠との間に障害物を挟む等の操作をしなければならないという問題があった。
【０００４】
本発明は、上記従来の自動閉戸装置の有する問題点に鑑み、開戸後安全に人の出入りや荷物の出し入れが行える程度の予め設定された時間内のみ、開戸状態を維持させ、設定時間経過後、自動的に引き戸を閉じるようにした自動閉戸装置における一時開戸状態維持装置を提供することを目的とする。
【課題を解決するための手段】
【０００５】
上記目的を達成するため、本第１発明の自動閉戸装置における一時開戸状態維持装置は、開戸後、引き戸が自動的に閉じ方向に移動し、閉戸するようにし、引き戸側に、引き戸を開く力を解除した時点から引き戸に制動をかけ、その後、時間遅れをもって前記制動を解除するように作動するストッパによって開戸状態を一時的に維持するように構成した開戸維持機構を取り付けた自動閉戸装置において、前記開戸維持機構を、ストッパに連結された、引き戸の開閉操作により揺動するリンクと、該リンクに連結された、一方向クラッチ及び歯車列よりなるギヤ装置とから構成し、前記リンクの揺動により引き戸の閉方向の動作を一時停止させるようにしたことを特徴とする。
【０００６】
また、同じ目的を達成するため、本第２発明の自動閉戸装置における一時開戸状態維持装置は、開戸後、引き戸が自動的に閉じ方向に移動し、閉戸するようにし、引き戸側に、引き戸を開く力を解除した時点から引き戸に制動をかけ、その後、時間遅れをもって前記制動を解除するように作動するストッパによって開戸状態を一時的に維持するように構成した開戸維持機構を取り付けた自動閉戸装置において、前記開戸維持機構を、ストッパに連結された、引き戸の開閉操作により揺動するリンクと、該リンクに連結された、一方向クラッチ及び１コマ送り機構よりなるギヤ装置とから構成し、前記リンクの揺動により引き戸の閉方向の動作を一時停止させるようにしたことを特徴とする。
【０００７】
この場合において、引き戸の開戸方向には軽快に動作し、閉じ方向に対しては一方向クラッチと歯車列とにより減速させるように構成した減速装置を取り付けることができる。
【発明の効果】
【０００８】
本第１及び第２発明の引き戸の自動閉戸装置における一時開戸状態維持装置によれば、引き戸を開き終わったどの位置においても、引き戸に対する開戸力が解除されると、引き戸が自動閉戸装置により閉じる方向へ移動し始めるまでの間、予め設定した時間、引き戸は閉じることなく、開戸状態を維持するようになっているので、特に身体障害者や老人等、動作の緩慢な人に対しても、さらには車椅子での出入りも安全にすることができ、また構造が簡単で、引き戸上部に取り付けられるようになっているため、外部に露出することがないので美観を損ねることなく、容易に実施することができる。
【０００９】
そして、本第１発明の引き戸の自動閉戸装置における一時開戸状態維持装置は、引き戸の開閉操作により揺動するリンクと、このリンクの揺動により引き戸の閉方向の動作時のみ緩速駆動となるよう一方向クラッチ、歯車列より構成するギヤ装置とから構成しているので、構造が簡単で、開戸時の動作が軽快、円滑、確実となり、しかも開戸状態を一時的に確実に維持でき、安全な出入りができるものとなり、歯車列より構成する減速装置の歯車比を変えることにより簡単に開戸維持時間の調整を行うことができる。
【００１０】
また、本第２発明の引き戸の自動閉戸装置における一時開戸状態維持装置は、引き戸の開閉操作により揺動するリンクと、このリンクの揺動により引き戸の閉方向の動作時のみ緩速駆動となるよう一方向クラッチ、１コマ送り機構より構成しているので、１コマ送り機構の動作を調節することにより、簡単に開戸状態の維持時間を設定することができるとともに、装置を小型化することができるので、小型の引き戸にも適用することができるものとなる。
【００１１】
また、設定時間経過後、自動閉戸装置により引き戸は自動的に閉じるときに、付設した減速装置により、引き戸は自動的に制動がかかるようになり、予め定めた緩速度にて閉じるので、特に身体障害者や老人、病人等、動作の緩慢な人に対しても、さらには車椅子での出入りも安全にすることができ、さらに構造が簡単で、引き戸上部に取り付けられるようになっているため、外部に露出することがないので美観を損ねることなく、既設の引き戸にも容易に実施することができる。
【図面の簡単な説明】
【００１２】
【図１】本発明の自動閉戸装置における一時開戸状態維持装置の第１実施例の引き戸の閉戸状態のときの正面図である。
【図２】要部の拡大側面図である。
【図３】開戸維持機構の正面図である。
【図４】ギヤ装置を示し、（Ａ）は断面図、（Ｂ）は正面図である。
【図５】吊りガイドレールにカムを取り付けた状態を示す正面図である。
【図６】自閉装置を示し、（Ａ）は正面図、（Ｂ）は底面図、（Ｃ）は左側面図である。
【図７】減速装置を示し、（Ａ）は一部破断した正面図、（Ｂ）は断面図である。
【図８】本発明の自動閉戸装置における一時開戸状態維持装置の第２実施例の開戸維持機構の正面図である。
【図９】同断面図である。
【発明を実施するための形態】
【００１３】
以下、本発明の自動閉戸装置における一時開戸状態維持装置の実施の形態を図面に基づいて説明する。
【実施例１】
【００１４】
図１〜図７に、本発明の自動閉戸装置における一時開戸状態維持装置の第１実施例を示す。
【００１５】
引き戸Ｄの形式は、特に限定されることはないが、この実施例では、吊り戸式とし、開口枠の上部に配設した吊りガイドレールＧにて、引き戸Ｄの上部に取り付けた２〜３個（図示の実施例では２個）のランナーＲ１、Ｒ２を介して吊垂移動可能に支持するとともに、固定側、例えば開口枠側に開かれた引き戸Ｄを自動的に閉じるようにした自閉装置２を備え、さらに引き戸Ｄ側に、予め設定した時間、この開戸状態を維持するための一時開戸状態維持装置Ａを備える。
【００１６】
吊りガイドレールＧは、引き戸Ｄの開閉時における全移動距離に対応した長さを有し、開口枠の上枠にビス止め等にて固定するようにしたレール台ＧＢと、このレール台ＧＢの下部に、ランナーＲ１、Ｒ２を移動可能に係止できるようにＬ字形状に一体に形成するレール片ＧＲとより構成し、これは特に限定されることはないが、アルミニウムあるいはアルミニウム合金を用いて引き抜き等にて一体に形成する。
【００１７】
この一時開戸状態維持装置Ａは、引き戸Ｄ側に取り付ける開戸維持機構１と、引き戸の移動により定位置で開戸維持機構１を作動するようにした吊りガイドレールＧの前側面に固定するカム５とより構成する。
【００１８】
一時開戸状態維持装置Ａの主体となる開戸維持機構１は、図２〜図４に示すように、引き戸Ｄの上端で、ランナーＲ１、Ｒ２に支障のない位置に、特に限定されるものではないが、Ｌ字形をしたブラケットＢを介して取り付ける。
この開戸維持機構１は、Ｌ字形をしたブラケットＢ内において、引き戸Ｄの開閉移動に応じて吊りガイドレールＧ側に設けたカム５により揺動するようにリンク軸１１Ｓを介して揺動可能に支持するリンク１１と、このリンク１１の先端に取り付け、揺動するリンク１１に応じて移動するようにしたラック１５と、リンク基端側に取り付け、リンク１１の揺動復帰を阻止するように作用するようにしたストッパ１２と、引き戸Ｄの移動にてリンク１１を押し上げ方向に揺動させる押上リンク１３と、引き戸Ｄの開戸状態を予め設定された一定時間、維持するようにしたギヤ装置４とより構成される。
【００１９】
リンク１１は、その基端側を、Ｌ字形をしたブラケットＢ内にて、調整ねじ１１ｃと固定ねじ１１ｄとによりその取付位置を調整可能としたリンク軸台１１Ｄに、リンク軸１１Ｓを介して揺動可能に支持し、リンク１１の一部とブラケットＢ間に引きばね１４を張架し、これにより引き戸Ｄの開放動作に応じて押上リンク１３を介して揺動したリンク１１を、揺動前の閉戸状態の位置に、例えば図３に示す実線位置に自動的に復帰させるようにする。
なお、リンク１１が押上リンク１３により、図３に示す矢符Ｕ方向へ押し上げられ、揺動する際、その最大許容押上位置を規制するためブラケットＢに板ばね製等のストッパ１ＳをブラケットＢに突設することがある。
また、リンク１１の基端側に軸１１ｂを介して揺動可能に取り付けたストッパ１２の先端を、特に限定されるものではないが、吊りガイドレールＧのレール片ＧＲの天面に対し、円滑に摺接するように円弧形状に、さらには摩擦抵抗の小さな樹脂チップを取り付けるようにして形成する。
【００２０】
このストッパ１２の長さを、押上リンク１３の作用によりリンク１１が揺動する前の位置、すなわち図３の実線位置において、吊りガイドレールＧのレール片ＧＲの天面位置に対し垂直位置となるストッパ１２の下端面が、レール片ＧＲに当接し、摺接可能となるようにして定め、引き戸Ｄの開放移動動作に応じて、図３に示す矢符Ｕ方向へ揺動するようにし、これによりストッパ１２は、リンク１１の揺動復帰を緩慢になるようにし、引き戸の開戸状態の時間を維持するようにする。
なお、ストッパ１２には、復帰用の引きばね１２Ｓを張架し、ストッパ１２がデッドポイントとなる垂直位置から所定の傾動方向と反対に傾動しないようにするとともに、ストッパ１２が作用するように、ストッパ１２の揺動角度を規正する突起１２ＴをブラケットＢに突設する。
【００２１】
また、押上リンク１３は、軸１１ａを介してリンク１１に揺動可能に支持するが、この場合、押上リンク１３を支持する軸１１ａとリンク軸１１Ｓ間の距離Ｌ１及び該リンク軸１１Ｓとストッパを支持する軸１１ｂ間の距離Ｌ２とが等しくなるように設定し、これによりリンク１１のバランスをとるようにする。さらに、押上リンク１３の下端には、自由に回転するようにしてローラ１３Ｒを支持する。このローラ１３Ｒは吊りガイドレールＧの側面に取り付けた直線状で上面が傾斜勾配を有するカム５の上面を摺接移動する際、押上リンク１３をカム５の上面形状に応じて上下方向に移動させ、これによりリンク１１を軸１１ｂを中心として揺動させるようにする。
この上下方向に移動する押上リンク１３が、常に垂直状態に規制されて移動できるよう、押上リンク１３の両側面と当接摺動するようにガイド１３Ｇ、１３ＧがブラケットＢ側に突設する。
また、引き戸Ｄの閉戸方向への移動時には、ローラ１３Ｒをカム５の前側面に沿って移動させ、これにより押上リンク１３及びローラ１３Ｒを吊りガイドレールＧの前面方向へ突出するように揺動させ、押上リンク１３及びローラ１３Ｒがカム５に衝突するのを未然に防止するようにする。
【００２２】
また、リンク先端に軸１１ｅを介して支持したラック１５は、特に限定されるものではないが、リンク先端部と共にギヤ装置４内に挿入され、下部がギヤ装置４から出没可能に配設するとともに、ギヤ装置４内に配設されたピニオン４２と噛合し、リンク１１の揺動によりギヤ装置４内のピニオン４２を、正方向あるいは逆方向へ回転させるようにする。
【００２３】
ギヤ装置４は、図４に示すように、ブラケットＢ内に配設固定したギヤ装置の箱型をした本体ケース４０と、この本体ケース４０内に回転可能に支持され、かつ挿入されるラック１５と噛合するようにしたピニオン４２と、一方向クラッチ４３及び複数の歯車４５、４６、４８とを組み合わせて構成する。
この歯車対の歯車４５内にピニオン４２のボス部を一方向クラッチ４３を介して噛合し、ピニオン４２の歯部を歯車４５より突出させ、ピニオン４２と噛合可能とし、さらにピニオン４２を、軸４４を介して本体ケース４０に回転可能に支持するとともに、ラック１５の移動によっても常にピニオン４２との噛合状態が維持されるようにするため、該ラック１５をピニオン４２とローラ若しくはベアリング４１間に摺動可能に挟み込み、ラック１５を常にピニオン４２側へ押圧するようにすることができる。
このローラ若しくはベアリング４１は、軸４１Ｓによりギヤ装置４の本体ケース４０に回転可能に支持される。
これにより、ピニオン４２、歯車４５間に内蔵する一方向クラッチ４３の作用にて引き戸Ｄの開戸方向に移動する一方向の揺動時にのみ、選択的にピニオン４２を介して歯車列を回転させるようにする。
【００２４】
また、軸４４にて支持されるピニオン４２には、一方向クラッチ４３とピニオン４２よりも大径の歯車４５とを同軸的に支持し、ピニオン４２が一方向に回転する際、一方向クラッチ４３を介して歯車４５を回転させ、反対方向の回転に際しては歯車４５は回転しないように構成し、さらにこの歯車４５には歯車４６を噛合させて歯車対を形成し、この歯車対を２段以上配設し、歯車列を構成する。
この歯車４６は、前記軸４４と平行に配設する軸４７に回転可能に支持するが、この２段以上の歯車対をコンパクトに配設するため、平行する２本の軸４４、４７により対峙するように支持するとともに、歯車４６には小径の小歯車４６ａと大径の大歯車４６ｂとを同軸上に形成し、小歯車４６ａには歯車４５を噛合し、大歯車４６ｂには軸４４にて支持された歯車４８の小歯車４８ａと噛合する。
【００２５】
なお、この歯車４８の大歯車４８ｂには歯形を刻設しないフライホイールとする場合もある。このように互いに噛合する小歯車と大歯車との歯数比を、特に限定されることはないが、５〜１０に設定することにより、ピニオン４２の回転を徐々に増速して最終段の大歯車４８ｂあるいはフライホイールを高速で回転するようにし、これによりリンク１１の復帰時間を延ばし、引き戸の閉まり始めるまでの時間を長くし、開戸状態を維持できるようにする。
なお、この歯車対の歯数比を変えることにより、引き戸の閉まり始めるまでの時間を調節することができる。
【００２６】
ところで、吊り戸式の引き戸Ｄは、引き戸の天面両端部位置に、あるいは大型の引き戸においては両端と中央部の３カ所に突設したランナーＲ１、Ｒ２を、前記吊りガイドレールＧのレール片ＧＲの天面に転動可能に支持することにより、引き戸Ｄが安定して吊垂走行できるようにし、またこの左右両端のランナーＲ１、Ｒ２間に、前記開戸維持機構１を配設し、引き戸Ｄを閉じる方向の端部の開口枠側に自閉装置２を配設し、この自閉装置２に巻収されたワイヤーロープ等の索条Ｗの端部を引き戸Ｄの一部、例えばランナーＲ２のケーシング等に固着するようにして張架し、引き戸Ｄの開閉動作時に円滑に巻き出し、巻き取りを行うことができるようにし、索条Ｗの巻取力により引き戸Ｄが自動的に閉じるようにする。
このとき、引き戸が高速で閉じないように減速装置３を作用させる。
【００２７】
この自閉装置２は、特に限定されるものではないが、図６に示すように、取付プレート２２を有する外ケース２１により区画された箱状に形成し、その中に、前記索条Ｗを巻き取る巻取ドラム２３及びその蓋２４と、巻取ドラム２３の内側に配設するとともに、その一端を固定し、索条Ｗを巻き取る方向に付勢する平板ばねを所要回数渦巻状に巻回したトーションスプリング（図示省略）と、このトーションスプリングの他端を固定する支軸２６と、この支軸２６を回転することによりトーションスプリングの付勢力を調節するハンドル２５とで、その主要部が構成されている。
【００２８】
この場合、トーションスプリングの材質、板厚、幅、巻回数等は、所要の長さの索条Ｗを巻き取るために必要とされる巻取ドラム２３の索条Ｗの巻き取り方向の付勢力の大きさに応じて適宜選定又は設定するようにする。
また、外ケース２１には、支軸２６に固定したハンドル２５の周回方向に沿って所定間隔で係止穴２１ｂ、２１ｂを形成し、トーションスプリングの付勢力の大きさを調整し、このいずれかの係止穴２１ｂにハンドル２５を係止するようにする。
このハンドル２５を係止穴２１ｂとの係止、係止解除を容易に、かつ確実に行うため、ハンドル２５を外ケース２１外面に押圧するためのばね２８を内蔵した押圧手段２７をハンドルに備える。
【００２９】
また、減速装置３は、ランナーＲ１、Ｒ２間に配設するか、あるいはランナーＲ１、Ｒ２のうち少なくともいずれか一方、例えばランナーＲ２のケーシング３０内に配設する。この減速装置３の配置位置は限定されることはない。
以下、ランナーＲ２と一体にしてケーシング３０内に配設して場合について説明する。
【００３０】
この減速装置３は、図１に示すように、引き戸側に取り付け可能としたケーシング３０内に、２本の軸３１、３２を平行に配設し、この一方の軸３１に大歯車３３を、その筒状をしたボス部３３ａを回動可能に嵌挿し、このボス部３３ａの外周にランナーＲ２を嵌挿し、この場合、ランナー内に、ランナーＲ２とボス部３３ａとの間に一方向クラッチ３７を形成し、大歯車３３の一方向に対してランナーＲ２を共に回動するも、反対方向の回転に対してはランナーＲ２を回動させないように構成し、さらに該軸３１には、大歯車３３と反対側面に小歯車３４ａと大歯車３４ｂとを一体とした歯車３４を、大歯車３３及び一方向クラッチ３７とは個別的に回動するように同軸上に支持し、また、他方の軸３２には、大歯車３３、小歯車３４ａと同時に噛合するように、大歯車３５ｂ、小歯車３５ａを一体とした歯車３５と、大歯車３４ｂと噛合し、かつフライホイール３Ｗを備えた小歯車３６とを回動可能に支持し、構成する。
【００３１】
この一方向クラッチ３７は、特に限定されるものではないが、ランナーＲ２内に周回方向に傾斜して形成した溝３８内にボール又はコロを嵌挿して構成し、これにより一方向にのみ、すなわち引き戸Ｄが閉じる方向にのみ、動力を大歯車３３側に伝達するように構成する。
【００３２】
吊りガイドレールＧの前側面に固定するカム５は、図５に示すように、上面が引き戸Ｄの開き方向先端側が低くなるようにした傾斜面５ａとし、傾斜面５ａの後端側との高低差Ｈを付すようにし、傾斜面５ａ上をローラ１３Ｒが、引き戸Ｄが開くＸ方向に摺接する際、ローラ１３Ｒを介して押上リンク１３を傾斜面５ａの高低差Ｈだけ上方向へ移動させるようにし、このカム５を通過した位置ではリンク１１は引きばね１４の作用にて引き戻され、図１の実線位置に復帰した状態で、引き戸が完全に開かれるようにすると共に、後端側の側端面５ｂを傾斜面とする。
これにより引き戸Ｄが閉じられるＹ方向に移動するとき、リンク１１が降下した位置を維持した状態で、引き戸Ｄの移動と共にＹ方向へ移動するとき、ローラ１３Ｒは吊りガイドレールＧの前側面に沿って移動し、該ローラ１３Ｒがカム５の側端面５ｂと当接すると、該側端面５ｂの傾斜面に従ってローラ１３Ｒがカム５の前面側へ押し出されるようになって、カム５との衝突を防ぎ、ローラ１３Ｒの後退動作を可能とするものである。
なお、このカム５の配設位置は、特に限定されることはないが、図１に示すように、引き戸Ｄが完全に閉じられる直前と、引き戸Ｄが予め定めた位置に到来したとき、ローラ１３Ｒはカム５と摺接するようにする。
【００３３】
次に、この自動閉戸装置における一時開戸状態維持装置の動作について説明する。
【００３４】
引き戸Ｄを、図１に示す閉戸位置から開放方向へ（図１において左方向へ）移動すると、引き戸Ｄの移動量に応じて自閉装置２の索条Ｗが巻き戻されるとともに、トーションスプリングの付勢力が増すようになり、引き戸Ｄを自動的に閉じる方向に作用するようになる。そして引き戸Ｄの開放方向への移動により、吊りガイドレールＧ上を転動するランナーＲ２は、一方向クラッチ３７の作用にてランナーＲ１と同様に空転して大歯車３３側に動力を伝達しないので、軽快に回動し、引き戸Ｄには減速抵抗が生じず、軽く開くことができる。
また、引き戸Ｄの移動に応じて押上リンク１３のローラ１３Ｒも移動し、カム５の位置において、カム５の上面の傾斜面５ａと摺接して移動するようになり、このカム５の形状に応じて押上リンク１３をばねに抗して押し上げるようになって、リンク１１を揺動する。
この場合、リンク先端に取り付けられたラック１５により、このラック１５と噛合されたピニオン４２は回転するが、一方向クラッチ４３により歯車列への回転は伝達されないので、引き戸Ｄは軽快に開くことができる。
【００３５】
そして引き戸Ｄが、カム５の位置を過ぎ、さらに開かれる方向へ移動すると、自閉装置２の索条Ｗも引き続いてトーションスプリングの付勢力に打ち勝つようにして巻き戻され、軽快に引き戸Ｄは終点まで開くことができる。
このカム５を過ぎる位置までにリンク１１は、設定された最大の揺動角θ２まで引きばね１４を引張するようにして揺動するとともに、このリンク１１に付設されたストッパ１２の円弧形をした下端は、吊りガイドレールＧのレール片ＧＲの天面に沿って移動するとともに、リンク１１の揺動角に応じて図３に示す矢符Ｚ方向へ傾動し、突起１２Ｔによって規正される最大角度θ１まで揺動する。
【００３６】
そして、引き戸Ｄの開放が終了した時点、すなわち引き戸Ｄを開く力を解除した時点で、引き戸Ｄは自閉装置２の巻き戻されたトーションスプリングの付勢力により索条Ｗを巻き取るようになり、引き戸Ｄには閉じる方向に力が作用し、引き戸Ｄを閉じる方向へ移動するようになる。
【００３７】
この場合、リンク１１には、引きばね１４の作用にて復帰する力が働くことにより、リンク１１の先端に付設したラック１５に噛合されたピニオン４２が回転し、歯車４５、４６、４８よりなる歯車列に伝達されている。
このリンク１１の復帰方向時のピニオンの回転時には、ピニオン４２と歯車４５間に介在した一方向クラッチ４３が作用するものとなって、ピニオン４２の回転力は、歯車４５、４６、４８よりなる歯車列に伝達され、これにより、リンク１１の揺動復帰速度は減速され、リンク１１の急峻な復帰が阻止される。
これにより、リンク１１が引きばね１４により図１に示す元の位置に復帰するまで、ストッパ１２の下端がレール片ＧＲの天面と摺接し、引き戸Ｄに制動をかけるようになり、引き戸Ｄは開き終えた位置で一時的に停止した状態、すなわち開戸状態を維持する。
【００３８】
次に、リンク１１が引きばね１４により図１に示す元の位置に復帰すると、ストッパ１２も垂直位置となりリンク１１の押上力を阻止した状態となり、ラック１５によるピニオン４２の回転が停止し、一方向クラッチ４３が解除され、引き戸Ｄは自閉装置２により設定された速度で閉じるようになる。
しかし、引き戸Ｄには減速装置３が付設され、引き戸Ｄの閉じ方向への移動には、一方向クラッチ３７が作用し、ライナーＲ２の回転力が大歯車３３側に伝達されるようになり、歯車列の作用にてフライホイールが高速で回転され、これによりライナーＲ２に制動をかけるようになって、引き戸Ｄの閉戸速度を減じ、緩速で閉戸するようになる。
【００３９】
また、このとき、閉じる方向に移動する引き戸Ｄにより、リンク１１に付設した押上リンク１３及びローラ１３Ｒがカム５の後端面と接する。
このカム５は、後端側の側端面５ｂが傾斜面となっているので、この傾斜面によりローラ１３Ｒはカム５の前方向へ押し出されるようになり、カム５との衝突が回避され、引き戸Ｄは引き続き閉じ方向へ移動し、完全に閉戸されるものとなる。
なお、ローラ１３Ｒが、カム５の位置を過ぎると元の位置に自動的に復帰し、次に引き戸を開く際、カム５の傾斜面５ａとローラ１３Ｒが接触、摺動可能となる。
【実施例２】
【００４０】
また、図８〜図９に、本発明の開戸維持機構本体の第２実施例を示す。
この第２実施例における開戸維持機構１は、第１実施例よりもさらにコンパクトにしたもので、作用は同じである。
開戸維持機構１は、引き戸Ｄの上端部にＬ字形のブラケットＢを介して取り付け、引き戸Ｄの開閉移動に応じて揺動するリンク１１と、ストッパ１２と、押上リンク１３と、このリンクの揺動により駆動されるギヤ装置４Ａとを組み込んで構成される。
【００４１】
このリンク１１は、第１実施例と同様に取付位置を調整可能としたリンク軸台１１Ｄにリンク軸１１Ｓを介して揺動可能に支持し、このリンク１１の先端にぶら下げるようにラック１５を取り付け、リンク基端側には軸１１ｂを介してリンク１１の揺動復帰を阻止するようにしたストッパ１２を、また中間部には引き戸Ｄの移動にてリンク１１を押し上げ方向に揺動させる押上リンク１３を取り付ける。
このリンク１１の揺動復帰用のばねを、第２実施例においてはキックばね１４Ｓとし、これをブラケットＢとリンク先端との間に配設し、キックばね１４Ｓの作用により、リンク１１を常に下方へ押し下げるようにする。
【００４２】
また、ストッパ１２の下端形状及び長さは、第１実施例と同様に、レール片ＧＲの天面に対し円滑に摺接するように円弧形状に形成し、レール片ＧＲの天面と当接時において略垂直状態となるようにし、引き戸Ｄの開放動作に応じて傾動するようにする。
押上リンク１３の下端には、自由回転するローラ１３Ｒを支持し、第１実施例と同様に、吊りガイドレールＧの側面に取り付けたカム５の上面を摺接移動する際、押上リンク１３を介してリンク１１を揺動させるようにする。
また、リンク先端に軸１１ｅを介して支持したラック１５及びリンク先端を、引き戸Ｄの開戸状態を一時維持するようにしたギヤ装置４Ａ内に挿入されるように配設し、リンク１１の揺動時にギヤ装置４Ａ内に納めたピニオンを回転させるようにする。
【００４３】
第２実施例におけるギヤ装置４Ａは、図８〜図９に示すように、ブラケットＢ内に配設固定されるとともに、ギヤ装置４Ａの本体ケース４０内に挿入されるラック１５と噛合するようにしたピニオン４２と、一方向クラッチ４３と、増速用の歯車群、及び１コマ送り機構とより構成する。
軸４４により回転可能に支持するピニオン４２には、一方向クラッチ４３を介してピニオン４２と同軸上に歯車４５を支持し、この歯車４５に対し増速するようにして軸４７に支持された１コマ送り機構のラチェットギヤ４９を配設する。このラチェットギヤ４９に１コマ送りカム５０を配設する。
これにより高速で回転しようとするラチェットギヤ４９を１歯ずつ確実に送るようにして設定された以上の速度で回転するのを阻止するようにする。
なお、ラック１５の背面にはローラ若しくはベアリング４１を配設し、ラック１５が、リンク１１の揺動に応じて移動しても常にピニオン４２との噛合状態が維持されるようにする。
【００４４】
次に、本第２実施例における作動について説明する。
この第２実施例においても自閉装置２、減速装置３の作動は、第１実施例と同様であるため、その詳細説明を省略する。
引き戸Ｄの開戸方向への移動により、リンク１１に取り付けた押上リンク１３は、カム５を介して押し上げられるようになってリンク１１が揺動すると、ラック１５にてピニオン４２を回転させる。
この場合、ピニオン４２が回転しても、一方向クラッチ４３の作用にて歯車４５への回転動力は伝達されない。このため、引き戸Ｄは、自閉装置２の索条Ｗを巻き戻すようにして開放する側へ軽快かつ円滑に移動する。
【００４５】
引き戸の開放を所定位置まで行って停止したとき、第１実施例と同様に、引き戸Ｄは閉じ始める。引き戸Ｄがカム５の位置を過ぎると、リンク１１は、キックばね１４Ｓの作用にて復帰するようになり、リンク先端に取り付けたラック１５の移動によってこれと噛合するピニオン４２を回転させる。
この引き戸Ｄの閉じ方向への移動により一方向クラッチ４３の作用により歯車４５を介して１コマ送り機構のラチェットギヤ４９が回転する。このとき、ラチェットギヤ４９には、１コマ送りカム５０が配設されているため、ラチェットギヤ４９は１歯ずつ、すなわち１コマずつ、間欠的に回転するものとなって自動的に速度が規制され、引き戸Ｄの閉じ力がリンク１１が復帰するまで一時的に停止するものとなる。
この引き戸が開戸状態で停止している時間は、リンク１１が元の位置まで復帰するまでとなる。通常５〜１０数秒程度に設定される。
【００４６】
リンク１１が元の位置まで復帰すると、第１実施例と同様に、引き戸Ｄは自閉装置２により設定された速度で閉戸するものとなる。
【００４７】
以上、本発明の自動閉戸装置における一時開戸状態維持装置について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００４８】
本発明の自動閉戸装置における一時開戸状態維持装置は、開戸後安全に人の出入りや荷物の出し入れが行える程度の予め設定された時間内のみ、開戸状態を維持させ、設定時間経過後、自動的に引き戸を閉じるようにできるという特性を有していることから、病院、老人介護施設等の自動閉戸装置が適用される施設において好適に用いることができるほか、その他の自動閉戸装置にも広く用いることができる。
【符号の説明】
【００４９】
Ａ    一時開戸状態維持装置
Ｄ    引き戸
Ｇ    吊りガイドレール
１    開戸維持機構
１１  リンク
１２  ストッパ
１３  押上リンク
１４  引きばね
１４Ｓ  キックばね
１５  ラック
２    自閉装置
３    減速装置
４    ギヤ装置
４Ａ  ギヤ装置
４０  本体ケース
４２  ピニオン
４３  一方向クラッチ
４５  歯車
４６  歯車
４８  歯車
４９  １コマ送り機構のラチェットギヤ
５０  １コマ送りカム
５    カム
【図１】
0005586980.tif 000002
【図２】
0005586980.tif 000003
【図３】
0005586980.tif 000004
【図４】
0005586980.tif 000005
【図５】
0005586980.tif 000006
【図６】
0005586980.tif 000007
【図７】
0005586980.tif 000008
【図８】
0005586980.tif 000009
【図９】
0005586980.tif 000010